(57)【要約】【課題】レンタル用のメディアに格納されたコンテンツのコピー許可管理を行うことのできるサーバ装置を提供する。【解決手段】管理サーバは、コピーに対する保護がかけられたコンテンツが記録されたレンタル用のメディアをレンタルしたユーザの情報処理装置との間で、メディアに記録されたコンテンツのコピーの許可を得るために必要な決済に関する情報をネットワークを通じて送受信する。管理サーは、ユーザの情報処理装置との間での決済に関する情報のやりとりを通じて決済済みを確認する都度、コンテンツのコピーを許可する情報をネットワークを通じて情報処理装置に提供する。【選択図】図２
2011238062.tif 000002
【特許請求の範囲】
【請求項１】
コピーに対する保護がかけられたコンテンツが記録されたレンタル用のメディアを再生可能な情報処理装置との間で、前記メディアに記録されたコンテンツのコピーの許可を得るために必要な決済に関する情報をネットワークを通じて送受信する第１の決済情報送受信部と、
前記ユーザの情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部と
を具備するサーバ装置。
【請求項２】
請求項１に記載のサーバ装置であって、
前記第１の決済情報送受信部は、前記ユーザの情報処理装置との前記決済に関する情報として決済データを送受信し、
前記コピー許可情報提供部は、前記決済データの送受信により決済処理を行い、決済処理が完了したことを確認すると、前記コンテンツのコピーを許可する情報を前記ネットワークを通じて前記情報処理装置に提供する
サーバ装置。
【請求項３】
請求項１に記載のサーバ装置であって、
前記第１の決済情報送受信部は、前記ユーザの情報処理装置から前記決済に関する情報として決済済みであることを示す認証情報を受信し、
前記コピー許可情報提供部は、前記決済済みであることを示す認証情報の正当性を判定し、正当であることを判定した場合、前記コンテンツのコピーを許可する情報を前記ネットワークを通じて前記情報処理装置に提供する
サーバ装置。
【請求項４】
コピーに対する保護がかけられたコンテンツが記録されたレンタル用のメディアを再生可能な情報処理装置との間で、前記メディアに記録されたコンテンツのコピーの許可を得るために必要な決済に関する情報をネットワークを通じて送受信する第１の決済情報送受信部と、
前記ユーザの情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部として
コンピュータを機能させるプログラム。
【請求項５】
ユーザの情報処理装置とサーバ装置とを具備し、
前記情報処理装置は、
コピーに対する保護がかけられたコンテンツが記録されたレンタル用のメディアの、前記コンテンツのコピーの許可を得るために必要な決済に関する情報をネットワークを通じて前記サーバ装置との間で送受信する第２の決済情報送受信部と、
前記サーバ装置より前記コンテンツのコピーを許可する情報を前記ネットワークを通じて取得し、前記レンタル用のメディアのコンテンツのコピーをユーザ用のメディアに記録して当該コンテンツのコピーを行うコピー処理部とを具備し、
前記サーバ装置は、
前記情報処理装置との間で、前記決済に関する情報を前記ネットワークを通じて送受信する第１の決済情報送受信部と、
前記情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部とを具備する
情報処理システム。
【発明の詳細な説明】
【技術分野】
【０００１】
本発明は、サーバ装置、プログラム、情報処理システムに関する。さらに詳細にはレンタル用のディスクなどのメディアに記録されたコンテンツのコピーの許可管理を行うサーバ装置、プログラム、情報処理システムに関する。
【背景技術】
【０００２】
映画や音楽等、様々なコンテンツの情報記録媒体（メディア）として、昨今はＤＶＤ(Ｄｉｇｉｔａｌ Ｖｅｒｓａｔｉｌｅ Ｄｉｓｃ)や、ＢＤ（Ｂｌｕ-ｒａｙ Ｄｉｓｃ（登録商標））などが多く利用されている。これらの情報記録媒体に記録された音楽データ、画像データ等のコンテンツの多くは、その作成者や販売者等が著作権や頒布権を有している。従って、ディスクを購入したユーザであっても、ディスク記録コンテンツの利用には一定の制限がなされる。例えばディスク記録コンテンツを他のディスク等のメディアに無制限にコピーを行うといったことは許容されない。
【０００３】
このようなメディア格納コンテンツのコピー管理構成として、管理サーバからのコピー許可情報の受領を条件としたコピー許容処理構成が知られている。具体的には、以下のシーケンスで処理が行われる。
ユーザがコンテンツ格納ディスクなどのメディアをＰＣや記録再生装置等のユーザ装置に装着して、ユーザ装置がネットワークを介して管理サーバに接続する。その後ユーザ装置は、ディスク識別子（ＩＤ）等、予め規定された情報をサーバに送信する。サーバは受信情報の正当性などを確認した後、コピー許可情報をユーザ装置に送信する。ユーザ装置はサーバからのコピー許可情報の受領を条件としてコピー処理を開始することができるというものである。
このようなコピー管理構成は、マネージドコピー（ＭＣ：Ｍａｎａｇｅｄ Ｃｏｐｙ）と呼ばれ、例えば特許文献１（特開２００８−９８７６５号公報）にその詳細が記載されている。
【０００４】
一方、コンテンツの著作権保護技術に関する規格としてＡＡＣＳ(Ａｄｖａｎｃｅｄ Ａｃｃｅｓｓ Ｃｏｎｔｅｎｔ Ｓｙｓｔｅｍ）規格がある。ＡＡＣＳ規格に従ったＢＤなどのディスク記録コンテンツの多くは暗号化コンテンツとして記録される。ＡＡＣＳ規格の代表的な暗号化構成として、コンテンツをユニット単位に区分してユニット毎に異なる暗号化キーを適用する構成がある。このような暗号化構成を採用することで、ユニット単位のコンテンツの利用制御を可能として厳格で多様なコンテンツ利用制御が実現される。
【先行技術文献】
【特許文献】
【０００５】
【特許文献１】特開２００８−９８７６５号公報
【発明の概要】
【発明が解決しようとする課題】
【０００６】
マネージドコピー（ＭＣ：Ｍａｎａｇｅｄ Ｃｏｐｙ）は、その運用において、ユーザが購入したコンテンツに対してコピーを許可する仕組みとして検討されている。しかしながら、近年、コンテンツを記録したメディアの流通分野では、レンタルの形式でエンドユーザにデジタルコンテンツが提供される機会が増加している。このような場面において、ユーザによっては、レンタルしたメディアに格納されたコンテンツを視聴してみてその内容が気に入り、そのコンテンツのコピーをユーザ用のメディアに保存したいという要請がある。
【０００７】
以上のような事情に鑑み、本発明の目的は、レンタル用のメディアに格納されたコンテンツのコピー許可管理を行うことのできるサーバ装置、プログラム、情報処理システムを提供することにある。
【課題を解決するための手段】
【０００８】
前記目的を達成するため、本発明の一形態に係るサーバ装置は、コピーに対する保護がかけられたコンテンツが記録されたレンタル用のメディアを再生可能な情報処理装置との間で、前記メディアに記録されたコンテンツのコピーの許可を得るために必要な決済に関する情報をネットワークを通じて送受信する第１の決済情報送受信部と、前記ユーザの情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部とを具備する。
本発明によれば、レンタル用のメディアに格納されたコンテンツを視聴してユーザが気に入ったならば、所定の料金を支払った上でそのコンテンツのコピーを許可するサービスを提供することができる。
【０００９】
前記第１の決済情報送受信部は、前記ユーザの情報処理装置との前記決済に関する情報として決済データを送受信し、前記コピー許可情報提供部は、前記決済データの送受信により決済処理を行い、決済処理が完了したことを確認すると、前記コンテンツのコピーを許可する情報を前記ネットワークを通じて前記情報処理装置に提供することとしてもよい。
【００１０】
前記第１の決済情報送受信部は、前記ユーザの情報処理装置から前記決済に関する情報として決済済みであることを示す認証情報を受信し、前記コピー許可情報提供部は、前記決済済みであることを示す認証情報の正当性を判定し、正当であることを判定した場合、前記コンテンツのコピーを許可する情報を前記ネットワークを通じて前記情報処理装置に提供するようにしてもよい。
【００１１】
前記目的を達成するため、本発明の別の形態に係るプログラムは、コピーに対する保護がかけられたコンテンツが記録されたレンタル用のメディアを再生可能な情報処理装置との間で、前記メディアに記録されたコンテンツのコピーの許可を得るために必要な決済に関する情報をネットワークを通じて送受信する第１の決済情報送受信部と、前記ユーザの情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部としてコンピュータを機能させるプログラムである。
【００１２】
前記目的を達成するため、本発明の別の形態に係る情報処理システムは、ユーザの情報処理装置とサーバ装置とを具備し、前記情報処理装置は、コピーに対する保護がかけられたコンテンツが記録されたレンタル用のメディアの、前記コンテンツのコピーの許可を得るために必要な決済に関する情報をネットワークを通じて前記サーバ装置との間で送受信する第２の決済情報送受信部と、前記サーバ装置より前記コンテンツのコピーを許可する情報を前記ネットワークを通じて取得し、前記レンタル用のメディアのコンテンツのコピーをユーザ用のメディアに記録して当該コンテンツのコピーを行うコピー処理部とを具備し、前記サーバ装置は、前記情報処理装置との間で、前記決済に関する情報をネットワークを通じて送受信する第１の決済情報送受信部と、前記情報処理装置との間での前記決済に関する情報のやりとりを通じて前記決済済みを確認する都度、前記コンテンツのコピーを許可する情報を前記ネットワークを通じて前記情報処理装置に提供するコピー許可情報提供部とを具備する。
【発明の効果】
【００１３】
以上のように、本発明によれば、レンタル用のメディアに格納されたコンテンツのコピー許可管理を行うことができる。
【図面の簡単な説明】
【００１４】
【図１】第１の実施形態におけるユーザの情報処理装置、レンタル会社、管理サーバ、コンテンツ提供会社の関係を示す図である。
【図２】第１の実施形態の情報処理システムの構成を示す図である。
【図３】図２の情報処理装置でのマネージドコピー処理の流れを示すフローチャートである。
【図４】図２の管理サーバでのマネージドコピー処理の流れを示すフローチャートである。
【図５】第２の実施形態におけるユーザの情報処理装置、レンタル会社、管理サーバ、コンテンツ提供会社の関係を示す図である。
【図６】第２の実施形態の情報処理システムの構成を示す図である。
【図７】図６の情報処理装置でのマネージドコピー処理の流れを示すフローチャートである。
【図８】図６の管理サーバでのマネージドコピー処理の流れを示すフローチャートである。
【図９】ユーザの情報処理装置、レンタル会社、管理サーバ、コンテンツ提供会社の関係の変形例を示す図である。
【発明を実施するための形態】
【００１５】
以下、図面を参照しながら、本発明の実施形態を説明する。
＜第１の実施形態＞
本実施形態は、レンタル会社よりユーザがレンタルしたレンタル用のメディアにコピーに対する保護がかけられて格納されたコンテンツをユーザの情報処理装置にてユーザ用のメディアにコピーする場合に適用されるマネージドコピー（ＭＣ：Ｍａｎａｇｅｄ Ｃｏｐｙ）の処理に関する。
【００１６】
［実施形態の概要］
図１は本実施形態におけるユーザの情報処理装置１０、レンタル会社２０、管理サーバ３０、コンテンツ提供会社４０の関係を示す図である。
レンタル会社２０は、コンテンツ提供会社４０より各種のタイトルのレンタル用の５０をレンタルし、レンタル費用Ｆ１をコンテンツ提供会社４０に支払う。ユーザＵはレンタル会社２０の店舗に出向き、視聴したいタイトルの５０をレンタル会社２０よりレンタルし、レンタル費用Ｆ２をレンタル会社２０に支払う。ユーザＵは情報処理装置１０を用いて、レンタルしたメディア５０に記録された、コピー保護がかけられたコンテンツをユーザ用のメディア６０にコピーしたい場合、そのコンテンツのコピーの許可等を管理する管理サーバ３０にインターネット１を通じてアクセスする。情報処理装置１０と管理サーバ３０との間で決済などを含む、コンテンツのコピーの許可を得るために必要な情報のやりとりを経て、情報処理装置１０は、管理サーバ３０よりコピー許可情報（Ｐｅｒｍｉｓｓｉｏｎ）を取得し、これを用いてコンテンツをコピー先のユーザ用のメディア６０に記録する。管理サーバ３０と情報処理装置１０のユーザとの間での決済処理で集められたコピー費用Ｆ３はコンテンツ提供会社４０に何らかの手段で受け渡される。
【００１７】
ここでレンタルされるメディア５０はＢＤ（Ｂｌｕ-ｒａｙ Ｄｉｓｃ（登録商標））などを想定しており、コンテンツの著作権保護技術に関する規格であるＡＡＣＳ(Ａｄｖａｎｃｅｄ Ａｃｃｅｓｓ Ｃｏｎｔｅｎｔ Ｓｙｓｔｅｍ)規格に従った暗号化コンテンツが記録されたメディアであればよい。ＡＡＣＳ規格に従った暗号化コンテンツはユニット単位に区分され、ユニット毎に異なる暗号鍵を適用した暗号化データとして記録される。ユニット単位の暗号化構成とすることで、ユニット単位の利用制御が可能となり、厳格で多様なコンテンツ利用制御が実現される。
【００１８】
［マネージドコピー処理のための構成］
次に、メディアレンタル流通過程において、本実施形態のコンテンツのマネージドコピー処理を実現するための情報処理システムの構成について説明する。
図２は本実施形態の情報処理システムの構成を示す図である。
同図に示すように、この情報処理システム１００は、レンタル用のメディア５０、レンタル用のメディア５０からコンテンツを読み取り、データ記録可能なユーザ用のメディア６０に記録する処理を行う情報処理装置１０、さらに、このコンテンツコピー処理の許可情報や、管理データの提供処理を実行する管理サーバ３０とを有する。
【００１９】
ここでレンタル用のメディア５０は、例えばＲＯＭディスクであり、Ｂｌｕ-ｒａｙ Ｄｉｓｃ（登録商標）等のディスクである。
コンテンツのコピー先であるユーザ用のメディア６０は、例えば、ハードディスク(ＨＤＤ)やＲ型、ＲＥ型のＢｌｕ-ｒａｙ Ｄｉｓｃ（登録商標）、ＤＶＤディスクなどの記録媒体である。
【００２０】
レンタル用のメディア５０には、ＡＡＣＳ規格に従って暗号化されたコンテンツ５１が記録されている。記録されるコンテンツ５１としては、例えば高精細動画像データであるＨＤ（Ｈｉｇｈ Ｄｅｆｉｎｉｔｉｏｎ）ムービーコンテンツなどの動画コンテンツのＡＶ(Ａｕｄｉｏ Ｖｉｓｕａｌ)ストリーム、あるいは音楽データ、ゲームプログラム、画像ファイル、音声データ、テキストデータなどがある。暗号化されたコンテンツは、例えばコンテンツ管理ユニット（ＣＰＳユニット）単位の利用管理が可能な構成を有し、コンテンツ管理ユニット（ＣＰＳユニット）単位で異なるユニット鍵（ＣＰＳユニット鍵）が適用された暗号化コンテンツである。
【００２１】
また、レンタル用のメディア５０には、コピー処理管理ファイル（ＭＣＭＦ）５２として、コンテンツ５１のコピーの許可を要求する際にアクセスする管理サーバ３０を指定するＵＲＩ（ＵＲＬ）、コンテンツ５１の識別子としてのコンテンツＩＤ（ＣＩＤ）、コンテンツ５１の正当性を示すコンテンツ証明書（ＣＣ：Ｃｏｎｔｅｎｔ Ｃｅｒｔｉｆｉｃａｔｅ）のＩＤ（ＣＣＩＤ）、メディア識別子としてのＰＭＳＮ（Ｐｒｅ−ｒｅｃｏｒｄｅｄ Ｍｅｄｉａ Ｓｅｒｉａｌ Ｎｕｍｂｅｒ）などが記録されている。さらに、レンタル用のメディア５０には、コンテンツ利用管理データ５３として、コピー・再生制御情報であるＣＣＩ（Ｃｏｐｙ Ｃｏｎｔｒｏｌ Ｉｎｆｏｒｍａｔｉｏｎ）、コンテンツ利用管理単位としてのコンテンツ管理ユニット（ＣＰＳユニット）毎に設定される暗号鍵であるＣＰＳユニット鍵、さらに、ＣＰＳユニット鍵を取得するための鍵情報（メディア５０キー）を格納した暗号鍵ブロックであるＭＫＢ（Ｍｅｄｉａ Ｋｅｙ Ｂｌｏｃｋ）などが格納されている。
【００２２】
さらに、レンタル用のメディア５０には、コンテンツ５１のコピー処理を行う際に情報処理装置１０において実行されるアプリケーションプログラム（図示せず）が格納されている。このアプリケーションプログラムとしては、管理サーバ３０との通信を実行するアプリケーションプログラム、決済処理専用のアプリケーションプログラムなどがある。コンテンツ５１のコピーを実行する際には、これらの複数のアプリケーションプログラムが情報処理装置１０において実行される。
【００２３】
情報処理装置１０は、具体的にはＰＣや記録再生装置などであり、レンタル用のメディア５０から読み出されたアプリケーションを実行するＣＰＵおよび主メモリなどのコンピュータ・ハードウェアを有している。情報処理装置１０には、前記のアプリケーションとコンピュータ・ハードウェアとにより、コンテンツ５１のコピーの許可を得るために必要な、決済に関する情報を含む様々な情報をネットワーク１を通じて管理サーバ３０との間で送受信するコピー許可要求処理部（第２の決済情報送受信部）１１が設けられている。さらに、情報処理装置１０には、レンタル用のメディア５０からコンテンツ５１を読み取り、コピー先のユーザ用のメディア６０に記録する記録部１２（コピー処理部）を備えている。
【００２４】
コピー許可要求処理部１１は、マネージドコピー処理に関して、次のような処理を実行する。
（ａ）コピー処理管理ファイル（ＭＣＭＦ）のＵＲＩを利用したサーバアクセス処理、
（ｂ）管理サーバ３０からの許容処理リスト（Ｏｆｆｅｒ Ｌｉｓｔ）の取得処理、
（ｃ）ユーザによる処理選択情報の管理サーバ３０への送信処理
（ｄ）決済処理、
（ｅ）管理サーバ３０からのコピー許可情報（Ｐｅｒｍｉｓｓｉｏｎ）の取得処理、チェック処理、コピー許可情報の記録制御部への出力。
【００２５】
管理サーバ３０は、具体的にはＰＣなどであり、レンタル用のメディア５０に記録されたコンテンツ５１のコピーの許可管理を行うためのアプリケーションプログラムを実行するＣＰＵおよび主メモリなどのコンピュータ・ハードウェアを有している。これにより管理サーバ３０のコピー許可管理実行部３１（第１の決済情報送受信部、コピー許可情報提供部）が設けられている。
【００２６】
コピー許可管理実行部３１は、より具体的には次のような処理を実行する。
（Ａ）情報処理装置１０への許容処理リスト（Ｏｆｆｅｒ Ｌｉｓｔ）の提供処理、
（Ｂ）決済処理、
（Ｃ）情報処理装置１０へのコピー許可情報（Ｐｅｒｍｉｓｓｉｏｎ）の提供処理。
【００２７】
［本実施形態のマネージドコピー処理の動作］
次に、情報処理装置１０と管理サーバ３０とでのマネージドコピー処理について、図２、図３および図４を参照して説明する。なお、図３は情報処理装置１０でのマネージドコピー処理の流れ、図４は管理サーバ３０でのマネージドコピー処理の流れを示すフローチャートである。
【００２８】
情報処理装置１０は、まず、レンタル用のメディア５０のＢｕｒｓｔ Ｃｕｔｔｉｎｇ Ａｒｅａにメディア識別子としてのＰＭＳＮが記録されているかどうかを調べる（図３：ステップＳ１０１）。ＰＭＳＮが記録されているなら、情報処理装置１０は、コピー処理管理ファイル（ＭＣＭＦ）から管理サーバ３０のＵＲＩ（ＵＲＬ）、コンテンツＩＤおよびコンテンツ証明書ＩＤを読み出し、ＰＭＳＮ、コンテンツＩＤ（ＣＩＤ）およびコンテンツ証明書ＩＤ（ＣＣＩＤ）を含むコピー許容リスト要求（Ｏｆｆｅｒ Ｒｅｑｕｅｓｔ）を管理サーバ３０に送信する（図３：ステップＳ１０２）。なお、ＰＭＳＮが記録されていない場合には、情報処理装置１０は、コンテンツＩＤおよびコンテンツ証明書ＩＤ（ＣＣＩＤ）とを含むコピー許容リスト要求（Ｏｆｆｅｒ Ｒｅｑｕｅｓｔ）を管理サーバ３０に送信する（図３：ステップＳ１０９）。
【００２９】
管理サーバ３０は、コピー許容リスト要求（Ｏｆｆｅｒ Ｒｅｑｕｅｓｔ）を受信すると（図４：ステップＳ２０１）、この要求に含まれるコンテンツＩＤ（ＣＩＤ）をもとに、当該コンテンツがコピー許可の判断においてＰＭＳＮの正当性のチェックが必須のコンテンツであるかどうかを判定する（図４：ステップＳ２０２）。この判定は、ＰＭＳＮによる正当性のチェックが必須のコンテンツのコンテンツＩＤ（ＣＩＤ）もしくはコンテンツ証明書ＩＤ（ＣＣＩＤ）の一覧を管理サーバ３０に予め用意しておき、この一覧と受信したコンテンツＩＤ（ＣＩＤ）とを照合することなどによって行われる。
【００３０】
当該コンテンツがコピー許可の判断においてＰＭＳＮの正当性のチェックが必須のコンテンツである場合（図４：ステップＳ２０２のＹＥＳ）、管理サーバ３０は情報処理装置１０よりＰＭＳＮを取得できたかどうかを判定する（図４：ステップＳ２０３）。ＰＭＳＮを取得できたならば（図４：ステップＳ２０３のＹＥＳ）、管理サーバ３０はそのＰＭＳＮが正当なものであるかどうかを、そのＰＭＳＮ、コンテンツＩＤ（ＣＩＤ）、コンテンツ証明書ＩＤ（ＣＣＩＤ）をもとに判定する（図４：ステップＳ２０４）。ＰＭＳＮを受信できなかった場合や（図４：ステップＳ２０３のＮＯ）、ＰＭＳＮが不当であることを判定した場合には（図４：ステップＳ２０４のＮＯ）、管理サーバ３０はコンテンツのコピー処理を拒否することを判定して（図４：ステップＳ２０５）、ここで管理サーバ３０側でのマネージドコピー処理は終了となる。また、この場合、管理サーバ３０は情報処理装置１０に対して不正なＰＭＳＮによりコピーが不可である旨を通知し、情報処理装置１０において、その管理サーバ３０からの通知をディスプレイなどを通してユーザＵに提示するようにしてもよい。
【００３１】
一方、ステップＳ２０４でＰＭＳＮが正当なものであることが判定された場合（図４：ステップＳ２０４のＹＥＳ）、管理サーバ３０はコピー許容リスト（Ｏｆｆｅｒ Ｌｉｓｔ）を生成して情報処理装置１０に送信する（図４：ステップＳ２０６）。ここで、コピー許容リストとは、例えば、１以上のファイルで構成されるコンテンツにおいてマネージドコピーが許容されるファイルの一覧等の情報を含むリストである。
【００３２】
情報処理装置１０は、管理サーバ３０からコピー許容リスト（Ｏｆｆｅｒ Ｌｉｓｔ）を取得すると、これをディスプレイに表示する（図３：ステップＳ１０３）。情報処理装置１０のユーザによって、その中からコピー対象のファイルが指定されると（図３：ステップＳ１０４）、情報処理装置１０は、管理サーバ３０との間で、そのファイル単位のコンテンツのコピーの許可を受けるために必要な決済に関する情報のやりとりを実行する（図３：ステップＳ１０５、図４：ステップＳ２０７）。具体的には、情報処理装置１０と管理サーバ３０との間で決済データを転送する処理等が行われる。
【００３３】
情報処理装置１０と管理サーバ３０との間でコピーの許可を受けるために必要な決済処理が問題なく終了すると（図４：ステップＳ２０８のＹＥＳ）、情報処理装置１０は管理サーバ３０にコピー許可要求（Ｐｅｒｍｉｓｓｉｏｎ Ｒｅｑｕｅｓｔ）を送信する（図３：ステップＳ１０６）。
【００３４】
管理サーバ３０は情報処理装置１０からのコピー許可要求（Ｐｅｒｍｉｓｓｉｏｎ Ｒｅｑｕｅｓｔ）を受信すると（図４：ステップＳ２０８）、コピー許可情報（Ｐｅｒｍｉｓｓｉｏｎ）を情報処理装置１０に送信する（図４：ステップＳ２０９）。
【００３５】
情報処理装置１０は、管理サーバ３０からのコピー許可情報（Ｐｅｒｍｉｓｓｉｏｎ）を取得すると（図３：ステップＳ１０７）、コンテンツコピー処理に移行する（図３：ステップＳ１０８）。このコンテンツコピー処理では、情報処理装置１０は、コピー許可情報（Ｐｅｒｍｉｓｓｉｏｎ）をもとに、レンタル用のメディア５０からコピー対象とする暗号化コンテンツのＣＰＳユニットに対応するユニット鍵を取り出す。次に、情報処理装置１０は、レンタル用のメディア５０に記録された暗号化コンテンツの中のコピー対象とするＣＰＳユニットを読み出して復号処理を行い、コピー先となるユーザ用のメディア６０に記録する。
【００３６】
以上のように、本実施形態では、コピー保護がかけられたコンテンツを記録したメディアのレンタルによる流通過程においてマネージドコピー処理を導入したことで、レンタル用のメディア５０のコンテンツを視聴してユーザが気に入ったならば、所定の料金を支払った上でそのコンテンツをコピーすることができる。これにより、レンタルを含めたトータル的なコンテンツ利用者の増大、マネージドコピーが利用される機会の増大等を図ることができ、コンテンツ流通産業のさらなる繁栄を期待できる。
また、本実施形態では、レンタルされる著作物を管理・保護しつつも、メディア５０をレンタルしたユーザが、コンテンツを視聴する中で当該コンテンツを所有したいと希望した場合には当該コンテンツを別途取得（購入）できる。これにより、レンタルサービスを利用するユーザの利便性を更に高めることができる
【００３７】
ところで、本実施形態のマネージドコピー処理によれば、レンタル会社２０よりレンタルしたメディア５０をユーザが別のユーザに無償で貸し出し、別のユーザがそのメディア５０に記録されたコンテンツのコピーを保存したい場合にも、前記と同じ手順で管理サーバ３０からコピー許可情報を取得すれば、そのコンテンツのコピーを保存することができる。
すなわち、管理サーバ３０においては、ＰＭＳＮが正当で、ユーザの情報処理装置１０との間での決済の完了を確認できれば、コピー許可を与えることとしている。この仕組みにより、何度も同じＰＭＳＮでコピー許容リスト要求が管理サーバ３０に送信されることが予想されるレンタル用のメディア５０に適したマネージドコピーのサービスを実現することができる。
また、従来のレンタルビジネスでは通常、ユーザ間の又貸しは、長期延滞や紛失等のトラブルの原因となるうえレンタル会社の収益性を害し得るため、契約で禁止されている。これに対し、本実施形態では、レンタル会社は又貸しを許容しても別途収益を上げることが可能となり、結果としてユーザ間のレンタル用メディアの自由な流通を可能とし、レンタル利用ユーザの利便性を更に高めることができる。
【００３８】
＜第２の実施形態＞
［実施形態の概要］
本実施形態は、レンタル会社よりユーザがレンタルしたレンタル用のメディアにコピーに対する保護がかけられて格納されたコンテンツをユーザの情報処理装置にてユーザ用のメディアにコピーする場合に適用されるマネージドコピーの処理において、ユーザが決済を管理サーバとの間で行うのではなくレンタル会社との間で行うことを想定した実施形態である。
【００３９】
図５は第２の実施形態におけるユーザの情報処理装置１０Ａ、レンタル会社２０、管理サーバ３０Ａ、コンテンツ提供会社４０の関係を示す図である。
レンタル会社２０は、コンテンツ提供会社４０より各種のタイトルのメディア５０を借り、レンタル費用Ｆ１をコンテンツ提供会社４０に支払う。ユーザＵはレンタル会社２０の店舗に出向き、視聴したいタイトルのメディア５０をレンタル会社２０より借り、レンタル費用Ｆ２をレンタル会社２０に支払う。その際、ユーザＵはそのメディア５０に格納されているコンテンツをユーザ用のメディア６０にコピーしたい場合には、レンタル会社２０にその旨を伝えてコピーの権利を購入する。このコピーの権利は、レンタル会社２０より発行されるコードＢ（以下「バウチャーコード」と記述する。）をユーザＵが知らされるという形式で提供される。このバウチャーコードＢは、例えば、予め管理サーバ３０Ａからレンタル会社２０に対して発行されたコードであり、すべてユニークなコードであることが望ましい。管理サーバ３０Ａでは、発行したバウチャーコードが、対応するコンテンツのコンテンツＩＤ（ＣＩＤ）およびコンテンツ証明書のＩＤ（ＣＣＩＤ）と対応付けられて管理されている。ユーザＵは情報処理装置１０Ａを用いて、レンタルしたメディア５０に記録されているコンテンツをユーザ用のメディア６０にコピーしたい場合、そのコピーの許可等を管理する管理サーバ３０Ａにインターネット１を通じてアクセスする。情報処理装置１０Ａと管理サーバ３０Ａとの間で決済などを含む、コンテンツのコピーの許可を得るために必要な情報のやりとりを経て、情報処理装置１０Ａは、管理サーバ３０Ａよりコピー許可情報（Ｐｅｒｍｉｓｓｉｏｎ）を取得し、これを用いてコンテンツをユーザ用のメディア６０に記録する。
【００４０】
［マネージドコピー処理のための構成］
次に、メディアレンタル流通過程において、本実施形態のコンテンツのマネージドコピー処理を実現するための情報処理システムの構成について説明する。
図６は本実施形態の情報処理システム１００Ａの構成を示す図である。
ここでレンタル用のメディア５０の構成は、これに記録されているアプリケーションプログラムを除いて第１の実施形態と同様である。情報処理装置１０Ａには、このアプリケーションとコンピュータ・ハードウェアとにより、コンテンツ５１のコピーの許可を得るために必要な情報をネットワーク１を通じて管理サーバ３０との間で送受信するコピー許可要求処理部（第２の決済情報送受信部）１１Ａが設けられている。さらに、情報処理装置１０には、レンタル用のメディア５０からコンテンツ５１を読み取り、コピー先のユーザ用のメディア６０に記録する記録部１２を備えている。
【００４１】
コピー許可要求処理部１１Ａは、マネージドコピー処理に関して、次のような処理を実行する。
（ａ）コピー処理管理ファイル（ＭＣＭＦ）のＵＲＩを利用したサーバアクセス処理、
（ｂ）管理サーバ３０Ａからの許容処理リスト（Ｏｆｆｅｒ Ｌｉｓｔ）の取得処理、
（ｃ）ユーザによる処理選択情報のサーバへの送信処理、
（ｄ）バウチャーコードの送信処理、
（ｅ）管理サーバ３０Ａからのコピー許可情報（Ｐｅｒｍｉｓｓｉｏｎ）の取得処理、チェック処理、コピー許可情報の記録制御部への出力。
【００４２】
一方、管理サーバ３０Ａは、レンタル用のメディア５０に記録されたコンテンツ５１のコピーの許可管理を行うためのアプリケーションプログラムを実行するＣＰＵおよび主メモリなどのコンピュータ・ハードウェアを有している。これにより管理サーバ３０Ａのコピー許可管理実行部３１Ａ（第１の決済情報送受信部、コピー許可情報提供部）が設けられている。
【００４３】
コピー許可管理実行部３１Ａは、より具体的には次のような処理を実行する。
（Ａ）情報処理装置１０への許容処理リスト（Ｏｆｆｅｒ Ｌｉｓｔ）の提供処理、
（Ｂ）バウチャーコードの取得と、このバウチャーコードに基づく決済済みの判定処理、
（Ｃ）情報処理装置１０へのコピー許可情報（Ｐｅｒｍｉｓｓｉｏｎ）の提供処理。
【００４４】
［本実施形態のマネージドコピー処理の動作］
次に、情報処理装置１０Ａと管理サーバ３０Ａとでのマネージドコピー処理について、図６、図７および図８を参照して説明する。なお、図７は情報処理装置１０Ａでのマネージドコピー処理の流れ、図８は管理サーバ３０Ａでのマネージドコピー処理の流れを示すフローチャートである。
【００４５】
情報処理装置１０Ａは、まず、レンタル用のメディア５０に格納されているコピー処理管理ファイル（ＭＣＭＦ）からコンテンツＩＤ（ＣＩＤ）およびコンテンツ証明書ＩＤ（ＣＣＩＤ）とを含むコピー許容リスト要求（Ｏｆｆｅｒ Ｒｅｑｕｅｓｔ）を管理サーバ３０Ａに送信する（図７：ステップＳ３０１）。
【００４６】
管理サーバ３０Ａは、コピー許容リスト要求（Ｏｆｆｅｒ Ｒｅｑｕｅｓｔ）を受信すると（図８：ステップＳ４０１）、この要求に含まれるコンテンツＩＤ（ＣＩＤ）およびコンテンツ証明書ＩＤ（ＣＣＩＤ）をもとに、バウチャーコード有効フラグ付きのコピー許容リスト（Ｏｆｆｅｒ Ｌｉｓｔ）を生成する。このバウチャーコード有効フラグ付きのコピー許容リストは、次のようにして生成される。
【００４７】
管理サーバ３０Ａは、取得したコンテンツＩＤ（ＣＩＤ）およびコンテンツ証明書ＩＤ（ＣＣＩＤ）をもとに当該コンテンツがバウチャーコードによるマネージドコピー対応のコンテンツであるかどうかを判定する。管理サーバ３０Ａは、バウチャーコードによるマネージドコピー対応のコンテンツのコンテンツＩＤ（ＣＩＤ）およびコンテンツ証明書ＩＤ（ＣＣＩＤ）のリストを管理しており、レンタル会社２０にレンタルしたタイトルのコンテンツのコンテンツＩＤ（ＣＩＤ）をリストに追加することとしている。管理サーバ３０Ａは、情報処理装置１０Ａからのコピー許容リスト要求（Ｏｆｆｅｒ Ｒｅｑｕｅｓｔ）に含まれるコンテンツＩＤ（ＣＩＤ）およびコンテンツ証明書ＩＤ（ＣＣＩＤ）とリストとを照合してバウチャーコードによるマネージドコピー対応のコンテンツであるかどうかの判定を行う。バウチャーコードによるマネージドコピー対応のコンテンツであることが判定された場合、管理サーバ３０Ａは、コピー許容リスト（Ｏｆｆｅｒ Ｌｉｓｔ）に、当該コンテンツを構成するファイル毎にこれがバウチャーコードによるマネージドコピー対応のコンテンツであることを示すフラグ（バウチャーコード有効フラグ）を設定する。管理サーバ３０Ａは、このようにして生成されたコピー許容リスト（Ｏｆｆｅｒ Ｌｉｓｔ）を情報処理装置１０Ａに送信する（図８：ステップＳ４０２）。
【００４８】
情報処理装置１０Ａは、管理サーバ３０Ａからコピー許容リスト（Ｏｆｆｅｒ Ｌｉｓｔ）を取得すると、これをディスプレイに表示する（図７：ステップＳ３０２）。情報処理装置１０Ａのユーザによって、その中からコピー対象のファイルが指定されると（図７：ステップＳ３０３）、このファイル単位のコンテンツに対してバウチャーコード有効フラグが設定されているかどうかを調べる（図７：ステップＳ３０４）。バウチャーコード有効フラグが設定されていない場合は（図７：ステップＳ３０４のＮＯ）、バウチャーコード無しでのコピーが許容されることを意味する。この場合には、情報処理装置１０Ａは、管理サーバ３０Ａにコピー許可要求（Ｐｅｒｍｉｓｓｉｏｎ Ｒｅｑｕｅｓｔ）を送信する（図７：ステップＳ３０８）。管理サーバ３０Ａにコピー許可要求を送信した後の動作は後で説明する。なお、コピー対象であるコンテンツが有料コンテンツである場合には、情報処理装置１０Ａは、管理サーバ３０Ａなど、課金処理を行うサーバとの間で、コンテンツのコピーの許可を受けるために必要な決済に関する情報のやりとりを行った後、ステップＳ３０８でコピー許可要求の送信を行うこととなる。
【００４９】
一方、バウチャーコード有効フラグが設定されている場合（図７：ステップＳ３０４のＹＥＳ）、情報処理装置１０Ａは、ディスプレイを通してバウチャーコードの入力をユーザに促す。情報処理装置１０Ａのユーザによってバウチャーコードの入力が完了すると（図７：ステップＳ３０５）、情報処理装置１０Ａは、その入力されたバウチャーコードを管理サーバ３０Ａに送信する（図７：ステップＳ３０６）。
【００５０】
管理サーバ３０Ａにおいては、発行済みのバウチャーコードが、コンテンツのコンテンツＩＤ（ＣＩＤ）およびコンテンツ証明書ＩＤ（ＣＣＩＤ）と対応付けられてテーブルで管理されている。管理サーバ３０Ａは、情報処理装置１０Ａよりバウチャーコードを取得すると（図８：ステップＳ４０３）、このバウチャーコードが正当なものであるかどうかを、取得したバウチャーコード、コンテンツＩＤ（ＣＩＤ）、コンテンツ証明書ＩＤ（ＣＣＩＤ）との組み合わせと前記のテーブルとの照合により判定する。（図８：ステップ４０４）。バウチャーコードが正当なものであることが判定された場合（図８：ステップ４０４のＹＥＳ）、管理サーバ３０Ａは、バウチャーコードの認証に成功したことを情報処理装置１０Ａに送信する（図８：ステップＳ４０５）。
【００５１】
情報処理装置１０Ａは、管理サーバ３０Ａよりバウチャーコードの認証に成功したことの通知を受けると（図７：ステップＳ３０７のＹＥＳ）、管理サーバ３０Ａにコピー許可要求（Ｐｅｒｍｉｓｓｉｏｎ Ｒｅｑｕｅｓｔ）を送信する（図７：ステップＳ３０８）。
【００５２】
管理サーバ３０Ａは情報処理装置１０Ａからのコピー許可要求（Ｐｅｒｍｉｓｓｉｏｎ Ｒｅｑｕｅｓｔ）を受信すると（図８：ステップＳ４０６）、コピー許可情報（Ｐｅｒｍｉｓｓｉｏｎ）を情報処理装置１０Ａに送信する（図８：ステップＳ４０７）。
【００５３】
情報処理装置１０Ａは、管理サーバ３０Ａからのコピー許可情報（Ｐｅｒｍｉｓｓｉｏｎ）を取得すると（図７：ステップＳ３０９）、コンテンツコピー処理に移行する（図７：ステップＳ３１０）。
【００５４】
また、管理サーバ３０Ａは、バウチャーコードが送信されない場合や、不正なバウチャーコード（例えば、１つのバウチャーコードに対して許容されるコピー回数が消費された場合も含む。）が判定された場合には（図８：ステップＳ４０４のＮＯ）、コンテンツのコピー処理を拒否することを判定して（図８：ステップＳ４０８）、ここで管理サーバ３０側でのマネージドコピー処理は終了となる。また、この場合、管理サーバ３０Ａは情報処理装置１０Ａに対して不正なバウチャーコードによりコピーが不可である旨を通知し、情報処理装置１０Ａにおいて、その管理サーバ３０Ａからの通知をディスプレイなどを通してユーザＵに提示するようにしてもよい。
【００５５】
さらに、情報処理装置１０Ａは、ステップＳ３０７において、管理サーバ３０Ａよりバウチャーコードの認証に失敗したことの通知を受けた場合には、コンテンツのコピーの許可が得られなかったとして処理を終了する。
【００５６】
以上のように、本実施形態では、コピー保護がかけられたコンテンツを記録したメディアのレンタルによる流通過程においてバウチャーコードを用いたマネージドコピー処理を導入したことで、レンタル用のメディア５０のコンテンツを視聴してみてユーザが気に入ったならば、所定の料金を支払った上でそのコンテンツをコピーすることができる。また、本実施形態では、ネットワーク１を介しての決済処理が不要であることから、安全性においてより優れるという利点がある。これは、メディアのレンタルによる流通が基本的に店舗を介して行われることによる効果である。
＜変形例１＞
【００５７】
図９はユーザの情報処理装置１０、レンタル会社２０Ｂ、管理サーバ３０Ｂ、コンテンツ提供会社４０の関係の変形例を示す図である。
この変形例では、レンタル会社２０Ｂが管理サーバ３０Ｂによるマネージドコピー処理のサービスも運営する形態である。この場合にも、先に説明した第１の実施形態および第２の実施形態による、レンタル用のメディア５０のコンテンツのコピーの許可管理の方式を採用することが可能である。
【符号の説明】
【００５８】
１０…情報処理装置
１１…コピー許可要求処理部
１２…記録部
２０…レンタル会社
３０…管理サーバ
３１…コピー許可管理実行部
４０…コンテンツ提供会社
５０…レンタル用のメディア
５１…コンテンツ
５２…コピー処理管理ファイル
５３…コンテンツ利用管理データ
１００…情報処理システム
【図１】
2011238062.tif 000003
【図２】
2011238062.tif 000004
【図３】
2011238062.tif 000005
【図４】
2011238062.tif 000006
【図５】
2011238062.tif 000007
【図６】
2011238062.tif 000008
【図７】
2011238062.tif 000009
【図８】
2011238062.tif 000010
【図９】
2011238062.tif 000011